(57)【要約】  本発明は、電子部品の受け渡し中に電子部品の異常接触を検出できる異常接触検出方法を提供することを目的とする。本発明に係る異常接触検出方法は、昇降用モータ（４）によってロッド（３２）を介して保持部（２）へ降下力（Ｆｒ）を作用させ、ボイスコイルモータ（３７）によって降下力（Ｆｒ）に対してロッド（３２）が受ける反作用力（Ｆｃｒ）と同等な対抗推力（Ｆｏｐｐ）をロッド（３２）に付与し、電子部品（Ｄ）がキャリアテープ（６１）に接触しながら降下する際に生じる抵抗力（Ｆｄ）に応答した、ロッド（３２）のボイスコイルモータ（３７）に対する相対的な浮き上がりを検出し、ロッド（３２）の浮き上がりを検出したことを以て、降下途中での電子部品（Ｄ）のキャリアテープ（６１）への接触を検出するものである。
2013128560.tif 000002
【特許請求の範囲】
【請求項１】
ボイスコイルモータに支持されたロッドと一緒に当該ロッドを介して電子部品の保持手段を降下させる昇降用モータを有する電子部品保持装置による前記電子部品の異常接触検出方法であって、
前記昇降用モータによって、前記ロッドを介して前記保持手段へ降下力を作用させ、
前記ボイスコイルモータによって、前記降下力に対する前記ロッドが受ける反作用と同等な対抗推力を前記ロッドに付与し、
前記保持手段の降下中に生じた異常な抵抗力に応答した、前記ロッドの前記ボイスコイルモータに対する相対的な浮き上がりを検出し、
前記ロッドの浮き上がりを検出したことを以て、前記降下途中で前記電子部品に対する異常接触を検出すること、
を特徴とする異常接触検出方法。
【請求項２】
前記電子部品を保持した前記保持手段をキャリアテープのポケットへ向けて降下させ、
前記電子部品が前記キャリアテープに接触しながら降下する際に生じる抵抗力に応答した、前記ロッドの前記ボイスコイルモータに対する相対的な浮き上がりを検出し、
前記ロッドの浮き上がりを検出したことを以て、前記降下途中での前記キャリアテープへの接触を検出すること、
を特徴とする請求項１記載の異常接触検出方法。
【請求項３】
前記ロッドの前記浮き上がりが生じると、前記電子部品の前記ポケットへの挿入を中止し、前記保持手段を上昇させることにより、前記ポケットから前記電子部品を取り除くこと、
を特徴とする請求項２に記載の異常接触検出方法。
【請求項４】
前記ロッドの前記浮き上がりが生じると、前記キャリアテープへの降下途中における前記電子部品の接触を報知すること、
を特徴とする請求項２又は３に記載の異常接触検出方法。
【請求項５】
電子部品を受け渡しする電子部品保持装置であって、
前記電子部品を保持しつつ、外力によって受渡箇所へ向けて昇降可能な保持手段と、
前記保持手段の降下力を発生させる昇降用モータと、
前記保持手段に対して昇降可能に設けられ、前記保持手段と当接して、前記昇降用モータが発生させた前記降下力を前記保持手段へ伝達するロッドと、
前記保持手段に作用する降下力によって生じる前記ロッドへの反作用と同等な対抗推力を前記ロッドに付与するボイスコイルモータと、
前記保持手段の降下中に生じた異常な抵抗力に応答した、前記ロッドの前記ボイスコイルモータに対する相対的な浮き上がりを検出する検出手段と、
を備えること、
を特徴とする電子部品保持装置。
【請求項６】
前記保持手段は、
前記電子部品を保持しつつ、前記受渡箇所であるキャリアテープのポケットへ向けて降下させ、
前記検出手段は、
前記電子部品が前記キャリアテープに接触しながら降下する際に生じる抵抗力に応答した、前記ロッドの前記ボイスコイルモータに対する相対的な浮き上がりを検出すること、
を特徴とする請求項５記載の電子部品保持装置。
【請求項７】
前記保持手段は、
前記検出手段により、前記ロッドの前記浮き上がりが検出されると、前記電子部品の前記ポケットへの挿入を中止し、前記保持手段を再上昇させることにより、前記ポケットから前記電子部品を取り除くこと、
を特徴とする請求項６に記載の電子部品保持装置。
【請求項８】
電子部品を搬送経路上に並べられた各種の工程処理ユニットに搬送するとともに、前記工程処理ユニットに前記電子部品を受け渡しする電子部品搬送装置であって、
前記電子部品を保持しつつ、外力によって昇降可能な保持手段と、
前記保持手段を前記搬送経路に沿って周回させるとともに、前記保持手段を前記工程処理ユニットの受渡箇所上方に停止させる搬送用モータと、
前記保持手段の降下力を発生させる昇降用モータと、
前記受渡箇所上方に停止した保持手段の上方に昇降可能に設けられ、前記保持手段と当接して、前記昇降用モータが発生させた前記降下力を前記保持手段へ伝達するロッドと、
前記保持手段に作用する前記降下力によって生じる前記ロッドへの反作用と同等な対抗推力を前記ロッドに付与するボイスコイルモータと、
前記保持手段の降下中に生じた異常な抵抗力に応答した、前記ロッドの前記ボイスコイルモータに対する相対的な浮き上がりを検出する検出手段と、
を備えること、
を特徴とする電子部品搬送装置。
【請求項９】
前記保持手段は、
前記電子部品を保持しつつ、前記受渡箇所であるキャリアテープのポケットへ向けて降下させ、
前記検出手段は、
前記電子部品が前記キャリアテープに接触しながら降下する際に生じる抵抗力に応答した、前記ロッドの前記ボイスコイルモータに対する相対的な浮き上がりを検出すること、
を特徴とする請求項８記載の電子部品搬送装置。
【請求項１０】
電子部品の不良品排出手段を更に備え、
前記保持手段は、
前記検出手段により、前記ロッドの前記浮き上がりが検出されると、前記電子部品の前記ポケットへの挿入を中止し、前記保持手段を再上昇させることにより、前記ポケットから前記電子部品を取り除き、前記不良品排出手段へ前記電子部品を移送すること、
を特徴とする請求項９に記載の電子部品搬送装置。
【請求項１１】
前記ロッドの前記浮き上がりが生じると、前記キャリアテープへの降下途中における前記電子部品の接触を報知する報知手段を更に備えること、
を特徴とする請求項９又は１０に記載の電子部品搬送装置。
【発明の詳細な説明】
【技術分野】
【０００１】
本発明は、電子部品をユニットに対して受け渡す際の異常接触を検出する異常接触検出方法、その方法を利用した電子部品保持装置、及びこれを備える電子部品搬送装置に関する。
【背景技術】
【０００２】
半導体素子等の電子部品は、ダイシング、マウンティング、ボンディング、及びシーリング等の各組み立て工程を経て個片に分離された後、各種検査等の工程が行われる。この工程は、一般的にはテストハンドラーと呼ばれる電子部品搬送装置で行われる。この電子部品搬送装置は電子部品保持装置を備え、電子部品保持装置の保持手段によって電子部品を保持しつつ、各工程処理ユニットに対して搬送して処理を行うものである。工程処理を終えた電子部品は、工程処理ユニットの一つであるテーピングユニットにてキャリアテープのポケットに収容される。【０００３】
テーピングユニットにおいて、電子部品がポケットに対して異常接触した場合、電子部品の電極リード端子の曲がりやクラック等を引き起こすおそれが生じる。異常接触とは、ポケットの縁に電子部品が接触しながらポケットへの挿入工程が続行されることを指す。この異常接触は、一般的に、電子部品の保持手段、電子部品、又はキャリアテープのポケットの何れかにおいて位置ズレが発生していることが原因である。【０００４】
そのため、テーピングユニットでは、キャリアテープのポケットに電子部品が適切な姿勢で収納されたか、電子部品のリード電極が異常に曲がっていたか、電子部品に傷があるか等の不良を検査する。電子部品の不良を検査する方法は、従来から各種提案されている（例えば、特許文献１参照）。【０００５】
例えば、電子部品のポケットへの挿入後、キャリアテープを所定ピッチ分巻き取ることで、外観検査位置に電子部品を移動させ、撮像手段で撮像するとともに、画像解析により不良を検査する。不良が検出された場合には、不良製品が収納されているポケットを保持手段の直下に戻し、保持手段を用いて電子部品をポケットから取り除く。また、メインテーブルを１／２ピッチ逆回転させて保持手段を収容位置から退避させ、その収容位置に除去手段を移動させて電子部品を除去する手法も提案されている。
【先行技術文献】
【特許文献】
【０００６】
【特許文献１】国際公開  ＷＯ２０１０／０８９２７５号公報
【発明の概要】
【発明が解決しようとする課題】
【０００７】
このように、提案されている手法の多くは、一度、電子部品をポケットに挿入した後に行われている。電子部品の不良を検出している。ポケットに挿入した後では、電子部品の外観検査可能な範囲は限られてくる。例えば、ポケットに挿入された電子部品を撮像手段によって上方から撮影し、画像解析により不良を検査する場合には、電子部品から延びる電極リード端子の微妙な曲がりを検出することは困難となる。また、そもそも電子部品の裏側は撮影できないため、電子部品の裏側で発生したクラックの検出も難しい。【０００８】
そこで、電子部品の不良発生の一因となる異常接触を電子部品の受け渡し中に検出することで、不良が発生している可能性のある電子部品をキャリアテープのポケットに挿入しない技術が望まれる。尚、電子部品の受け渡し中における異常接触の検知技術を確立することができれば、電子部品の搬送工程においては、電子部品の異常接触が引き起こされる可能性のある受け渡し工程が多く存在するため、当該技術の応用範囲は広いものと予想される。【０００９】
本発明は、上記のような従来技術の問題点を解決するために提案されたもので、電子部品の受け渡し中に電子部品の異常接触を検出できる異常接触検出方法を提供することを目的とする。
【課題を解決するための手段】
【００１０】
本発明に係る異常接触検出方法は、ボイスコイルモータに支持されたロッドと一緒に当該ロッドを介して電子部品の保持手段を降下させる昇降用モータを有する電子部品保持装置による前記電子部品の異常接触検出方法であって、前記昇降用モータによって、前記ロッドを介して前記保持手段へ降下力を作用させ、前記ボイスコイルモータによって、前記降下力に対する前記ロッドが受ける反作用と同等な対抗推力を前記ロッドに付与し、
前記保持手段の降下中に生じた異常な抵抗力に応答した、前記ロッドの前記ボイスコイルモータに対する相対的な浮き上がりを検出し、前記ロッドの浮き上がりを検出したことを以て、前記降下途中で前記電子部品に対する異常接触を検出すること、を特徴とする。【００１１】
前記電子部品を保持した前記保持手段をキャリアテープのポケットへ向けて降下させ、前記電子部品が前記キャリアテープに接触しながら降下する際に生じる抵抗力に応答した、前記ロッドの前記ボイスコイルモータに対する相対的な浮き上がりを検出し、前記ロッドの浮き上がりを検出したことを以て、前記降下途中での前記キャリアテープへの接触を検出するようにしてもよい。【００１２】
前記ロッドの前記浮き上がりが生じると、前記電子部品の前記ポケットへの挿入を中止し、前記保持手段を上昇させることにより、前記ポケットから前記電子部品を取り除くようにしてもよい。【００１３】
前記ロッドの前記浮き上がりが生じると、前記キャリアテープへの降下途中における前記電子部品の接触を報知するようにしてもよい。【００１４】
また、本発明に係る電子部品保持装置は、電子部品を受け渡しする電子部品保持装置であって、前記電子部品を保持しつつ、外力によって受渡箇所へ向けて昇降可能な保持手段と、前記保持手段の降下力を発生させる昇降用モータと、前記保持手段に対して昇降可能に設けられ、前記保持手段と当接して、前記昇降用モータが発生させた前記降下力を前記保持手段へ伝達するロッドと、前記保持手段に作用する降下力によって生じる前記ロッドへの反作用と同等な対抗推力を前記ロッドに付与するボイスコイルモータと、前記保持手段の降下中に生じた異常な抵抗力に応答した、前記ロッドの前記ボイスコイルモータに対する相対的な浮き上がりを検出する検出手段と、を備えること、を特徴とする。【００１５】
前記保持手段は、前記電子部品を保持しつつ、前記受渡箇所であるキャリアテープのポケットへ向けて降下させ、前記検出手段は、前記電子部品が前記キャリアテープに接触しながら降下する際に生じる抵抗力に応答した、前記ロッドの前記ボイスコイルモータに対する相対的な浮き上がりを検出するようにしてもよい。【００１６】
前記保持手段は、前記検出手段により、前記ロッドの前記浮き上がりが検出されると、前記電子部品の前記ポケットへの挿入を中止し、前記保持手段を再上昇させることにより、前記ポケットから前記電子部品を取り除くようにしてもよい。【００１７】
本発明に係る電子部品搬送装置は、電子部品を搬送経路上に並べられた各種の工程処理ユニットに搬送するとともに、前記工程処理ユニットに前記電子部品を受け渡しする電子部品搬送装置であって、前記電子部品を保持しつつ、外力によって昇降可能な保持手段と、前記保持手段を前記搬送経路に沿って周回させるとともに、前記保持手段を前記工程処理ユニットの受渡箇所上方に停止させる搬送用モータと、前記保持手段の降下力を発生させる昇降用モータと、前記受渡箇所上方に停止した保持手段の上方に昇降可能に設けられ、前記保持手段と当接して、前記昇降用モータが発生させた前記降下力を前記保持手段へ伝達するロッドと、前記保持手段に作用する前記降下力によって生じる前記ロッドへの反作用と同等な対抗推力を前記ロッドに付与するボイスコイルモータと、前記保持手段の降下中に生じた異常な抵抗力に応答した、前記ロッドの前記ボイスコイルモータに対する相対的な浮き上がりを検出する検出手段と、を備えること、を特徴とする。【００１８】
前記保持手段は、前記電子部品を保持しつつ、前記受渡箇所であるキャリアテープのポケットへ向けて降下させ、前記検出手段は、前記電子部品が前記キャリアテープに接触しながら降下する際に生じる抵抗力に応答した、前記ロッドの前記ボイスコイルモータに対する相対的な浮き上がりを検出するようにしてもよい。【００１９】
電子部品の不良品排出手段を更に備え、前記保持手段は、前記検出手段により、前記ロッドの前記浮き上がりが検出されると、前記電子部品の前記ポケットへの挿入を中止し、前記保持手段を再上昇させることにより、前記ポケットから前記電子部品を取り除き、前記不良品排出手段へ前記電子部品を移送するようにしてもよい。【００２０】
前記ロッドの前記浮き上がりが生じると、前記キャリアテープへの降下途中における前記電子部品の接触を報知する報知手段を更に備えるようにしてもよい。
【発明の効果】
【００２１】
本発明によれば、電子部品の不良発生の一因となる異常接触を電子部品の受け渡し中に検出でき、当該異常接触により不良が発生している可能性のある電子部品をより確実に除去することが可能となる。
【図面の簡単な説明】
【００２２】
【図１】本実施形態に係る電子部品保持装置の全体構成を示す側面図である。
【図２】ボイスコイルモータの内部構成を示す側面図である。
【図３】電子部品保持装置が備える検出部の外部構成を示す拡大側面図である。
【図４】検出部の全体構成を示す図である。
【図５】電子部品保持装置の制御部を示すブロック図である。
【図６】電子部品保持装置の制御部の制御動作を示すフローチャートである。
【図７】通常時の電子部品保持装置の各部に掛かる力を示す側面図である。
【図８】通常時の検出部の状態を示す側面図である。
【図９】電子部品がキャリアテープに接触した時の電子部品保持装置の各部に掛かる力を示す側面図である。
【図１０】電子部品がキャリアテープに接触した時の検出部の状態を示す側面図である。
【図１１】本実施形態に係る電子部品搬送装置の全体構成を示す上面図である。
【図１２】本実施形態に係る電子部品搬送装置の全体構成を示す側面図である。
【図１３】異常接触検出時における電子部品搬送装置の制御部の構成を示すブロック図である。
【図１４】異常接触検出時における電子部品搬送装置の制御部の処理を示すフローチャートである。
【図１５】パーツフィーダの部分拡大図である。
【図１６】位置補正ユニットの部分拡大図である。
【図１７】テストコンタクト装置の部分拡大図である。
【発明を実施するための形態】
【００２３】
以下、本発明に係る電子部品搬送装置の電子部品保持装置による異常接触検出方法の実施形態について図面を参照しつつ詳細に説明する。
【００２４】
（電子部品保持装置）
図１は、電子部品保持装置１の全体構成を示す側面図である。図１に示す電子部品保持装置１は、電子部品Ｄを工程処理ユニット７４（図１１参照）に受け渡す装置である。工程処理ユニット７４は、電子部品Ｄに工程処理を施す装置であり、テーピングユニット６が含まれる。テーピングユニット６は、電子部品Ｄを収納するポケット６２がエンボス加工されたキャリアテープ６１を間欠的に移送する。
【００２５】
テーピングユニット６に対して、電子部品保持装置１は、電子部品Ｄをポケット６２内に挿入し、ポケット６２内で電子部品Ｄを離脱させる。このとき、電子部品保持装置１は、電子部品Ｄがポケット６２に適切に挿入されないことにより生じた不良製品が、そのままキャリアテープ６１に梱包されることを防止する。すなわち、電子部品保持装置１は、ポケット６２への挿入段階で電子部品Ｄの異常接触を検出する。異常接触検出方法は、キャリアテープ６１と電子部品Ｄとが接触しつつ挿入工程が続行される際に生じる抵抗力を感知するものである。
【００２６】
この電子部品保持装置１は、主に保持部２と押圧体３と昇降用モータ４で構成されている。保持部２は、電子部品Ｄを保持しつつ、外力によって昇降する。昇降用モータ４は、保持部２の下降力を発生させ、また保持部２の下降終点及び下降速度を制御している。押圧体３は、主に昇降用モータ４が発生させた下降力を保持部２に伝達する。
【００２７】
保持部２は、例えば吸着ノズルである。この保持部２は、内部が中空のパイプであり、先端に開口を有する。後端に接続された継手２５を介してパイプ内部と空気圧回路とが連通しており、真空の発生により電子部品Ｄを先端で吸着し、真空破壊により電子部品Ｄを離脱させる。大気解放により電子部品Ｄを離脱させてもよいし、真空破壊と大気解放を順次切り替えて電子部品Ｄを離脱させるようにしてもよい。
【００２８】
この保持部２は、ポケット６２に対する高さが固定されたアーム２１に支持され、ポケット６２の上方に位置している。アーム２１は、ポケット６２の開口面に対して略平行に延びており、先端にポケット６２の開口面に対して垂直な軸受け２２が貫設されている。保持部２は、開口が設けられた先端をポケット６２に向けて軸受け２２に挿入され、摺動可能にアーム２１に支持されている。
【００２９】
アーム２１の軸受け２２上縁には、圧縮バネ２３が設けられている。圧縮バネ２３は、保持部２の突出部分に挿入されている。保持部２の突出部分は、軸受け２２の上縁から突出した部分である。保持部２の後端側には、フランジ２４が設けられており、圧縮バネ２３は、このフランジ２４を介して保持部２をポケット６２から離反させる方向に付勢している。保持部２に対するポケット６２に向かう外力が解除されると、保持部２は、ポケット６２から離反するように上昇する。
【００３０】
押圧体３は、保持部２を押し下げる方向に摺動可能にリニアガイド３１に支持されている。リニアガイド３１のレール部分は、ポケット６２と垂直な方向に延び、高さは固定されている。押圧体３の下端には、ロッド３２が延設されている。ロッド３２は、保持部２の後端に向かい合わせて配置され、保持部２と軸線が共通する。押圧体３がリニアガイド３１を摺動して下降し、ロッド３２の下端が保持部２の後端に当接することにより、保持部２に下降方向への外力が伝達される。
【００３１】
この押圧体３は、略コの字形状のフレーム３３を有する。押圧体３は、フレーム３３の背の部分でリニアガイド３１に支持され、フレーム３３の下腕３３ａにロッド３２を備えている。フレーム３３の下腕３３ａは、ポケット６２の開口面に対して水平に延び、その先端と保持部２の軸線とが交わる部分にロッド３２が取り付けられる。ロッド３２は、下腕３３ａの延び方向と直交して取り付けられ、下腕３３ａの上下から先端及び後端が突出している。
【００３２】
フレーム３３の上腕３３ｂには、その上面にカムフォロア３４が設置されている。このカムフォロア３４は、昇降用モータ４の回転力を伝達し、押圧体３を押し下げるために設置されている。昇降用モータ４は、例えばサーボモータである。昇降用モータ４の回転軸には、円筒カム４１が固定されている。円筒カム４１とカムフォロア３４とは当接しており、カムフォロア３４は、円筒カム４１のカム面に沿って従動する。
【００３３】
昇降用モータ４の回転力は、この円筒カム４１とカムフォロア３４とによってリニアガイド３１に沿った直線方向の力に変換され、押圧体３は、保持部２を押し出しながら降下する。保持部２を下降させる際、昇降用モータ４は、ロッド３２と一緒に保持部２を所定速度で下降させる回転速度及びトルクで回転軸を回転させる。また、保持部２が所定の下降終点に到達するように設定された回転量だけ回転軸を回転させる。保持部２の下降終点は、電子部品Ｄがポケット６２の底面に到達する地点又は底面から一定距離離間した上方地点である。昇降用モータ４の回転速度、トルク、及び回転量は、昇降用モータ４に対する電力供給で制御される。
【００３４】
ここで、押圧体３は、キャリアテープ６１と電子部品Ｄとが接触しつつ挿入工程が続行されることで生じる抵抗力を感知する検出機構を更に備えている。この検出機構は、ロッド３２の摺動機構、ロッド３２に推力を与えるボイスコイルモータ３７、及びロッド３２のボイスコイルモータ３７に対する相対的な浮き上がりを検出する検出部３８である。尚、ボイスコイルモータ３７に対する相対的な浮き上がりは、言い換えると、ボイスコイルモータ３７へのロッド３２の埋入である。
【００３５】
具体的には、フレーム３３の下腕３３ａには、ポケット６２の開口面に対して垂直な軸受け３５が貫設されている。ロッド３２は、この軸受け３５に挿入されており、ロッド３２の軸線方向に摺動可能となっている。尚、フレーム３３の下腕３３ａの下面には、ロッド３２をボイスコイルモータ３７から進出させる付勢力を有する圧縮バネ３６が設けられており、ボイスコイルモータ３７の推力を補助している。
【００３６】
ボイスコイルモータ３７は、フレーム３３の上腕３３ｂの下面に固定されている。このボイスコイルモータ３７は、ロッド３２の後端側を支持し、ロッド３２を進出及び後退させる。ボイスコイルモータ３７は、電流と推力とが比例関係にあるリニアモータであり、図２に示すように、磁石３７ａ及び環状コイル３７ｂを有する。環状コイル３７ｂとロッド３２とは連結されており、ロッド３２は、環状コイル３７ｂと連動する。磁石３７ａは環状コイル３７ｂに近接して磁場を与えている。環状コイル３７ｂが通電すると、環状コイル３７ｂは電磁場内に置かれることとなり、環状コイル３７ｂにローレンツ力が生じる。これにより、環状コイル３７ｂに連結されたロッド３２には、保持部２に向かう方向に推力を与えられることとなる。
【００３７】
ボイスコイルモータ３７は、ロッド３２が保持部２に下降力Ｆｒを伝達することによって生じる当該ロッド３２への反作用力Ｆｃｒと同等な対抗推力Ｆｏｐｐを発生させる。すなわち、ボイスコイルモータ３７は、ロッド３２の平衡状態を保つ静推力を発生させ、過不足のない力でロッド３２のボイスコイルモータ３７に対する位置を維持させる。
【００３８】
検出部３８は、図３に示すように、空気口３８ａと該空気口３８ａを開閉する蓋部３８ｂとにより構成される。空気口３８ａは、ロッド３２の進退方向と直交する開口であり、フレーム３３の下腕３３ａの上面に設けられている。蓋部３８ｂは、空気口３８ａの真上に位置し、ロッド３２と連動して移動するようにロッド３２の周面から突設されている。突設位置は、ロッド３２が保持部２に当接していない状態において、蓋部３８ｂが空気口３８ａを被覆する高さである。空気口３８ａは、図４に示すように、空気圧回路３８ｅに接続されたパイプ３８ｃの一端となっており、パイプ３８ｃ内部には流量計３８ｄが設けられる。流量計３８ｄとしては、例えば、パイプ内に突出するオリフィスと、オリフィスが区切る２つの領域の差圧を検出する差圧検出部である。
【００３９】
この検出部３８は、空気口３８ａを通じた空気の流入又は流出を検出することにより、ロッド３２がボイスコイルモータ３７に対して相対的に浮き上がったことを検出する。ロッド３２が浮き上がれば、蓋部３８ｂが空気口３８ａから離れるからである。
【００４０】
図５は、このような機械的な構成を有する電子部品保持装置１の制御部５を示すブロック図である。この制御部５は、モータ制御部５１と、ＶＣＭ（ボイスコイルモータ）制御部５２と、異常接触判定部５３とを備える。
【００４１】
モータ制御部５１は、昇降用モータ４のトルク、回転速度、及び回転量を制御する。昇降用モータ４がサーボモータである場合には、モータ制御部５１は、エンコーダやトルク検出器を有する。ＶＣＭ制御部５２は、ボイスコイルモータ３７の推力を制御する。異常接触判定部５３は、検出部３８からの信号に基づき、電子部品Ｄのポケット６２に対する異常接触を判定する。尚、この制御部５は、電子部品保持装置１の構成の一部として設けられていてもよいし、後述する電子部品搬送装置７の制御部７５の一部として設けられていてもよい。
【００４２】
図６は、この制御部５の制御動作を示すフローチャートであり、以下、制御部５の制御動作とともに電子部品保持装置１の状態を説明する。
【００４３】
まず、キャリアテープ６１に電子部品Ｄを挿入する段階では、予め、保持部２の軸線がポケット６２の底面中心を通るように、保持部２とポケット６２の位置決めがなされている。具体的には、保持部２はテーピングユニット６の設置位置で停止し、テーピングユニット６はキャリアテープ６１を巻出すことで、空のポケット６２を保持部２の停止位置に移動させている。また、保持部２のパイプ内部には負圧が発生しており、保持部２の先端には電子部品Ｄが吸着されている。
【００４４】
挿入段階では、ステップＳ０１において、モータ制御部５１は、昇降用モータ４の駆動を開始させる。モータ制御部５１は、保持部２がロッド３２と一緒に当該ロッド３２を介して下降する力を昇降用モータ４に発生させる。
【００４５】
この昇降用モータ４の駆動により、円筒カム４１は回転し、円筒カム４１のカム面に当接しているカムフォロア３４は、ポケット６２に向かう推力を受ける。ポケット６２に向かう推力は、保持部２へ向かう押圧体３の移動力となり、押圧体３は、リニアガイド３１に沿って下降する。押圧体３が下降すると、ロッド３２が保持部２の後端に当接する。モータ制御部５１が昇降用モータ４を更に駆動させることにより、押圧体３は、保持部２を押し下げる。保持部２は、圧縮バネ２３の押し上げ付勢力に抗して下降を開始する。
【００４６】
このとき、図７に示すように、保持部２はロッド３２から下降力Ｆｒを受けており、ロッド３２は、その反作用力Ｆｃｒを受けることとなる。この反作用力Ｆｃｒは、保持部２を押し上げる圧縮バネ２３が設けられている場合には、伸び方向に付勢された圧縮バネ２３の弾性力に対する抗力に等しい。また、ロッド３２を押し下げる圧縮バネ３６が設けられている場合には、ロッド３２が受ける反作用力Ｆｃｒは、この圧縮バネ３６の弾性力を保持部２の圧縮バネ２３の弾性力から差し引いた力に対する抗力に等しい。
【００４７】
また、挿入段階では、ステップＳ０２において、ＶＣＭ制御部５２は、ボイスコイルモータ３７の駆動を開始させ、ロッド３２に反作用力Ｆｃｒと同等の対抗推力Ｆｏｐｐを発生させる。このボイスコイルモータ３７の駆動開始は、昇降用モータ４の推力発生と同時、若しくは、ロッド３２が保持部２に当接する直前である。反作用力Ｆｃｒと同等の対抗推力はＦｏｐｐ、反作用力Ｆｃｒと大きさは同じであるが、向きが反対の推力である。厳密には、圧縮バネ２３が圧縮されるに従って、反作用力Ｆｃｒは増大するが、ＶＣＭ制御部５２により、対抗推力Ｆｏｐｐを反作用力Ｆｃｒに比例して増大するように制御してもよい。
【００４８】
このとき、図７に示すように、ロッド３２は、反作用力Ｆｃｒを受けているが、ボイスコイルモータ３７から対抗推力Ｆｏｐｐを受けているため、ロッド３２に作用する力は釣り合い、ロッド３２は平衡状態を維持し、ボイスコイルモータ３７に対して進退しない。また、図８に示すように、ロッド３２の平衡状態が維持されている場合には、蓋部３８ｂは空気口３８ａに被さっており、空気口３８ａからは空気の流入又は流出はない。
【００４９】
次に、ステップＳ０３において、異常接触判定部５３は、検出部３８がロッド３２の浮き上がりを検出したかを判定する。
【００５０】
ロッド３２が平衡状態を維持している際には、ロッド３２によるボイスコイルモータ３７に対する相対的な浮き上がりはないため、蓋部３８ｂは空気口３８ａに被さったままである。そのため、流量計の値に変化はなく、検出部３８は不変値を異常接触判定部５３に出力する。異常接触判定部５３は、予め記憶している閾値と検出部３８の出力値とを比較することで、当該出力値が不変値であることを確認し、当該確認を以てロッド３２の浮き上がりが検出されていないこととする。
【００５１】
一方、保持部２の位置、電子部品Ｄの保持姿勢、若しくはポケット６２の位置の何れかが位置ズレしているために、図９に示すように、保持部２の下降途中に電子部品Ｄとキャリアテープ６１とが接触している場合がある。このとき、ロッド３２には、キャリアテープ６１を歪ませながら電子部品Ｄと保持部２が下降し続ける際の抵抗力Ｆｄが掛かる。
【００５２】
ボイスコイルモータ３７は、ロッド３２に対して｜Ｆｃｒ｜＝｜Ｆｏｐｐ｜となる対抗推力Ｆｏｐｐのみを与えているため、｜Ｆｏｐｐ｜＜｜Ｆｃｒ＋Ｆｄ｜となり、ロッド３２に対して浮き上がり力Ｆｆが発生し、平衡状態は崩れる。そのため、ロッド３２は、ボイスコイルモータ３７に対して相対的に浮き上がり、ポケット６２とは逆の方向に移動する。
【００５３】
図１０に示すように、ロッド３２が浮き上がると、空気口３８ａを被覆していた蓋部３８ｂは、空気口３８ａから離れる。蓋部３８ｂから開放された空気口３８ａには、空気が流入又は流出し、流量計３８ｄの値は変化する。異常接触判定部５３は、閾値と検出部３８の出力値とを比較することで、当該出力値が変化値であることを確認し、当該確認を以てロッド３２の浮き上がりが検出されたこととする。
【００５４】
ロッド３２の浮き上がりが検出されれば（ステップＳ０３，Ｙｅｓ）、それは電子部品Ｄがポケット６２に異常接触していることを示す。そのため、ステップＳ０４において、次に説明する電子部品搬送装置７によって処置動作が実施される。
【００５５】
一方、ロッド３２の浮き上がりが検出されなければ（ステップＳ０３，Ｎｏ）、ステップＳ０５において、モータ制御部５１は、保持部２の下降量が設定値に達したかを判定する。設定値は、電子部品Ｄのポケット６２の底面への到達に対応する。保持部２の下降量が設定値に達していなければ（ステップＳ０５，Ｎｏ）、異常接触判定部５３は、保持部２が下降終点に達するまで（ステップＳ０５，Ｙｅｓ）、検出器がロッド３２の浮き上がりを検出したかを判定する（ステップＳ０３）。
【００５６】
ロッド３２の浮き上がりが検出されず（ステップＳ０３，Ｎｏ）、且つ保持部２の下降量が設定値に達すれば（ステップＳ０５，Ｙｅｓ）、異常接触検出処理は終了し、電子部品保持装置１は、電子部品Ｄをポケット６２へ収納させる残りの動作を実施する。すなわち、保持部２に電子部品Ｄを離脱させ、保持部２を上昇させる。具体的には、保持部２のパイプ内部における真空を破壊して電子部品Ｄを離脱させる。そして、円筒カム４１を更に回転させることで、カムフォロア３４を介した押圧体３の押し込みを解除し、それにより保持部２をロッド３２から解放して、圧縮バネ２３の付勢力により、保持部２を上昇させる。
【００５７】
（電子部品搬送装置７）
次に、このような電子部品保持装置１が搭載され、異常接触が検出された場合の処置を行う電子部品搬送装置７について説明する。図１１は、電子部品搬送装置７の全体構成を示す上面図であり、図１２は側面図である。
【００５８】
電子部品搬送装置７は、電子部品Ｄの搬送経路７１を形成し、その搬送経路７１に沿って並べられた各工程処理ユニット７４に対して順番に電子部品Ｄを搬送する。この搬送経路７１は、ターンテーブル７２と電子部品保持装置１とにより形成されている。ターンテーブル７２は、中心が搬送用モータ７３の回転軸で支持されており、搬送用モータ７３の駆動に従って間欠的に所定角度回転する。搬送用モータ７３は、例えばダイレクトドライブモータである。
【００５９】
電子部品保持装置１は、このターンテーブル７２の外周縁に円周等配位置となるように複数設置されている。具体的には、ターンテーブル７２の外周縁にアーム２１が固定され、保持部２は、このアーム２１に支持されている。また、リニアガイド３１は、ターンテーブル７２の外周縁上方に固定され、押圧体３は、そのリニアガイド３１に支持されることにより、ターンテーブル７２の上方に位置し、昇降用モータ４は、リニアガイド３１を固定する不動のブロックに設置されている。
【００６０】
テーピングユニット６を含む各工程処理ユニット７４は、ターンテーブル７２の外周縁に沿って並べられている。その他の工程処理ユニット７４としては、パーツフィーダ、位置補正ユニット、テストコンタクト装置、マーキングユニット、外観検査装置、分類ソート機構、不良品排出装置７４ａ等のうちの一又は複数種類が選択的に配置される。
【００６１】
本実施形態では、テーピングユニット６の後段、すなわちターンテーブル７２の回転方向においてテーピングユニット６の一つ下流に、梱包されなかった電子部品Ｄを電子部品検査装置から排出する不良品排出装置７４ａが設置される。
【００６２】
保持部２の配置間隔は、ターンテーブル７２の１ピッチの回転角度と等しい。換言すると、ダイレクトドライブモータは、保持部２の配置間隔と同一のピッチでターンテーブル７２を間欠回転させる。押圧体３は、保持部２の停止位置と一致する箇所に設けられている。また、処理ユニットも保持部２の停止位置と一致する箇所に設けられている。尚、保持部２の停止位置の数≧搬送処理ユニットの数であれば、これらの数は同数でなくともよく、搬送処理ユニットが配置されていない保持部２の停止位置が存在していてもよい。
【００６３】
このような電子部品搬送装置７において、電子部品Ｄを保持した保持部２は、ターンテーブル７２の間欠回転に従って、順に円周等配位置に設定された停止位置に移動する。保持部２が停止位置に位置すると、保持部２の上方に存在する駆動部は、保持部２を下降させる。保持部２の下降先には、工程処理ユニット７４が存在しており、電子部品Ｄは、下降先の工程処理ユニット７４により、工程処理が施される。工程処理が終了すると、押圧体３は保持部２を上昇させ、ターンテーブル７２は、次の停止位置に保持部２を移動させる。
【００６４】
キャリアテープ６１以外の工程処理ユニット７４に対して電子部品Ｄを受け渡す際には、ボイスコイルモータ３７は、電子部品Ｄを工程処理ユニット７４のステージに押し付け、その押し付け荷重を所定値にコントロールする。
【００６５】
図１３は、このような電子部品搬送装置７における異常接触検出時の制御部７５の構成を示すブロック図である。電子部品搬送装置７は、ターンテーブル７２、電子部品保持手段、及び各工程処理ユニット７４を制御する制御部７５を有している。この制御部７５は、異常接触検出時において、異常接触を報知する報知部７５ａと、不良製品を排出する排出制御部７５ｂとを備える。
【００６６】
報知部７５ａは、異常接触を報知する。この報知部７５ａは、通信回線で接続されたディスプレイ、スピーカ、プリンタ、又はパトランプ等の人間の五感に伝達可能な装置であれば、何れでもよい。また、報知部７５ａは、データを記憶するメモリを有し、異常接触がされたことをメモリに記録し、ユーザによる閲覧要求が発生したときに異常接触を報知するようにしてもよい。
【００６７】
排出制御部７５ｂは、ポケット６２に異常接触した電子部品Ｄをキャリアテープ６１に梱包せずに、不良品排出装置７４ａに当該不良製品を排出させる。図１４は、この排出制御部７５ｂの動作を示すフローチャートである。
【００６８】
異常接触判定部５３において電子部品Ｄが異常接触したと判定されると、ステップＳ１１において、報知部７５ａは、異常接触を報知する。具体的には、異常接触を示すデータをメモリに書き込み、当該データをディスプレイやプリンタに出力する。また、スピーカに警告音を発生させ、パトランプを点灯させる。
【００６９】
また、異常接触判定部５３において電子部品Ｄが異常接触したと判定されると、排出制御部７５ｂは、ポケット６２に電子部品Ｄを挿入しようとしている電子部品保持装置１の動作を中止させる。すなわち、ステップＳ１２において、昇降用モータ４の回転を停止させることで、保持部２の下降を途中停止させる。そして、ステップＳ１３において、押圧体３を上昇させて圧縮バネ２３の付勢力を解放することで、保持部２を電子部品Ｄの保持状態のまま上昇させる。
【００７０】
更に、排出制御部７５ｂは、異常接触した電子部品Ｄを電子部品搬送装置７から排出させる。すなわち、ステップＳ１４において、ターンテーブル７２を１ピッチだけ回転させ、異常接触した電子部品Ｄを保持している保持部２を不良品排出装置７４ａの上方に位置させる。そして、ステップＳ１５において、保持部２を下降させて電子部品Ｄを離脱させることにより、異常接触した電子部品Ｄを不良品排出装置７４ａに渡す。
【００７１】
最後に、ステップＳ１６において、排出制御部７５ｂは、不良品排出装置７４ａを制御して、異常接触した電子部品Ｄを電子部品搬送装置７から排出させる。
【００７２】
（効果）
以上説明したように、本実施形態の異常接触検出方法は、昇降用モータ４によってロッド３２を介して保持部２へ降下力Ｆｒを作用させ、ボイスコイルモータ３７によって降下力Ｆｒに対してロッド３２が受ける反作用力Ｆｃｒと同等な対抗推力Ｆｏｐｐをロッド３２に付与する。そして、電子部品Ｄがキャリアテープ６１に接触しながら降下する際に生じる抵抗力Ｆｄに応答した、ロッド３２のボイスコイルモータ３７に対する相対的な浮き上がりを検出し、ロッド３２の浮き上がりを検出したことを以て、降下途中でのキャリアテープ６１への接触を検出する。
【００７３】
当該方法は、ボイスコイルモータ３７を異常接触検出の一構成として機能させている。すなわち、ロッド３２が受ける反作用力Ｆｃｒと同等な対抗推力Ｆｏｐｐをロッド３２に掛けることで、ロッド３２に掛かる総合的な荷重を０ニュートンとし、電子部品Ｄがキャリアテープ６１に接触しながら降下する際に生じる抵抗力Ｆｄを感知している。
【００７４】
ロッド３２に掛かる総合的な荷重を０ニュートンとするのは、ボイスコイルモータ３７が好適である。ボイスコイルモータ３７は、電流値に比例した推力を発生させることができ、その推力は他のモータと比べて微小ピッチで調節可能である。そのため、反作用力Ｆｃｒと対抗推力Ｆｏｐｐとを精度よく合わせることが容易であり、キャリアテープ６１といった柔らかい素材からの小さい抵抗力Ｆｄを検出可能となる。
【００７５】
これにより、電子部品Ｄの不良発生の一因となるキャリアテープ６１との異常接触を極めて簡単且つ精度よく検出することができ、当該異常接触により不良が発生している可能性のある電子部品Ｄをより確実に除去することが可能となる。更には、その他の工程処理ユニット７４における工程処理において適切な荷重を電子部品Ｄに与えることに利用されていたボイスコイルモータ３７を転用又は併用でき、特別な機械的構成は必要としない。
【００７６】
また、従来は、ポケット６２に電子部品Ｄを挿入した後、そのポケット６２を検査ポジションに移動させ、不良製品であると確認されると、ポケット６２を保持部２の位置に戻し、保持部２により不良製品をピックアップさせていた。また、そのために保持部２を備えるターンテーブル７２を逆回転させるという工程も必要とされていた。
【００７７】
一方、本実施形態の異常接触検出方法では、ロッド３２の浮き上がりが生じると、電子部品Ｄのポケット６２への挿入を中止し、保持部２を上昇させることにより、ポケット６２から電子部品Ｄを取り除くようにしてもよい。この異常接触検出方法によれば、電子部品Ｄの異常接触が発生したときは、この従来の電子部品Ｄの排除工程を経る必要がなくなる。
【００７８】
そのため、異常接触に関する不良製品の排除工程については必要時間を飛躍的に短縮できる。また、搬送経路７１を巡る他の電子部品Ｄに対して、異常接触に関する不良製品を排除する工程が与える時間的影響をかなり減らすことができる。
【００７９】
尚、異常接触以外の要因で電子部品Ｄに不良が発生する場合もあるため、この従来の検査態様は併用することができる。また、ロッド３２の浮き上がりが生じると、キャリアテープ６１への降下途中における電子部品Ｄの接触を報知し、ユーザにより電子部品Ｄを取り除かせるようにしてもよい。
【００８０】
（他の工程処理ユニット７４）
このように、キャリアテープ６１といった柔らかい素材からの小さい抵抗力Ｆｄを検出可能となった本実施形態に係る異常接触検出方法は、キャリアテープ６１への梱包時における電子部品Ｄの異常接触を検出する事に非常に好適である。但し、他の工程処理ユニットへの電子部品Ｄの受け渡し時においても当然に適用可能である。
【００８１】
例えば、図１５は、パーツフィーダの部分拡大図である。図１５に示すパーツフィーダは、電子部品Ｄを電子部品搬送装置７に供給するユニットである。このパーツフィーダは、搬送経路８１と中継台８２とを備えている。
【００８２】
搬送経路８１は、その延び方向に対する斜めの方向に揺動し、その揺動作用によって電子部品Ｄを終端まで移動させる。中継台８２は、搬送経路８１上の電子部品Ｄを保持部２へ中継するエスケープ機構であり、電子部品Ｄを搬送経路８１から受け取って、平行移動により電子部品Ｄを保持部２の停止位置に位置させる。この中継台８２は、搬送経路８１の終端と向かい合わせて配置されている。中継台８２の先端には、電子部品Ｄの載置面８２ａが形成されている。中継台８２には、載置面８２ａに面するように、載置面８２ａよりも一段高い障壁８２ｂが形成されている。
【００８３】
このパーツフィーダにおいて、障壁８２ｂは、載置面８２ａに載置された電子部品Ｄの姿勢を揃える機能を一つに有するが、搬送経路８１と中継台８２との電子部品Ｄの受け渡し時や、中継台８２の平行移動時に、電子部品Ｄが障壁８２ｂに乗り上げてしまったり、立て掛けられてしまったりする場合も稀に発生する。
【００８４】
このとき、電子部品Ｄの最高部は、電子部品Ｄが障壁８２ｂに乗り上げずに適正に載置面８２ａに載置されているときと比べて高くなる。そのため、載置面８２ａに適正に載置されていることを前提に降下してきた保持部２は、降下途中に電子部品Ｄと異常接触する。
【００８５】
そこで、電子部品保持装置１では、保持部２の降下中に生じた当該異常接触による抵抗力Ｒに応答して、ロッド３２がボイスコイルモータ３７に対して相対的に浮き上がり、当該浮き上がりが検出部３８によって検出される。このため、電子部品Ｄと保持部２との衝突が検出され、この衝突により不良となり得る電子部品Ｄを抽出可能となる。
【００８６】
また、図１６は、位置補正ユニットの部分拡大図である。この位置補正ユニットは、電子部品Ｄの姿勢を補正するガイド部材８３を備えている。ガイド部材８３には、底部に近づくほど窄まる角錘台状の穴８３ａが形成されている。保持部２によって電子部品Ｄをガイド部材８３の穴８３ａに挿入すると、電子部品Ｄの姿勢が穴８３ａの内壁形状に合わせて変化する。この姿勢変化を起こさせることによって、位置補正ユニットは、電子部品Ｄを所望の姿勢に補正している。
【００８７】
このガイド部材８３に電子部品Ｄを挿入する際には、予め電子部品Ｄを挿入する深さが調整されている。換言すると、電子部品Ｄの大きさに合わせて保持部２の下降量が予め決定されている。但し、電子部品Ｄの大きさや厚みのバラツキや、電子部品Ｄが保持部２に保持されている姿勢のバラツキ等によって、ガイド部材８３と電子部品Ｄとが異常接触することが稀に発生する。
【００８８】
このとき、電子部品Ｄが其の大きさよりも狭い穴径に挿入されようとするために、ガイド部材８３の内壁を用いた姿勢変化時に生じる通常の抵抗力よりも大きな異常な抵抗力Ｒが発生する。
【００８９】
そこで、電子部品保持装置１では、昇降用モータ４によって、ロッド３２を介して保持部２へ降下力を作用させておく。この下降力には、ガイド部材８３の内壁を用いた姿勢変化時に生じる通常の抵抗力を加味しておく。また、ボイスコイルモータ３７によって、この降下力に対するロッド３２が受ける反作用と同等な対抗推力をロッド３２に付与しておく。
【００９０】
そして、保持部２の降下中に生じた異常接触による抵抗力Ｒに応答して、ロッド３２がボイスコイルモータ３７に対して相対的に浮き上がり、当該浮き上がりが検出部３８によって検出される。このため、電子部品Ｄとガイド部材８３との衝突が検出され、この衝突により不良となり得る電子部品Ｄを抽出可能となる。
【００９１】
また、図１７は、テストコンタクト装置の部分拡大図である。テストコンタクト装置は、電子部品Ｄを通電させて電気特性をテストする装置であり、内部に通電用の電極が露出したソケット８４を備えている。
【００９２】
このテストコンタクト装置において、ソケット８４内に電子部品Ｄを挿入した時に、電子部品Ｄがソケット８４の内側壁に乗り上げてしまったり、立て掛けられてしまったりする場合も稀に発生する。
【００９３】
このとき、電子部品Ｄの最高部は、ソケット８４内に適正に挿入されているときと比べて高くなる。そのため、ソケット８４に適正に挿入されていることを前提に降下してきた保持部２は、降下途中に電子部品Ｄと異常接触する。
【００９４】
そこで、電子部品保持装置１では、保持部２の降下中に生じた当該異常接触による抵抗力Ｒに応答して、ロッド３２がボイスコイルモータ３７に対して相対的に浮き上がり、当該浮き上がりが検出部３８によって検出される。このため、電子部品Ｄと保持部２との衝突が検出され、この衝突により不良となり得る電子部品Ｄを抽出可能となる。
【００９５】
（他の実施形態）
以上のように本発明の実施形態を説明したが、発明の要旨を逸脱しない範囲で、種々の省略、置き換え、変更を行うことができる。そして、この実施形態やその変形は、発明の範囲や要旨に含まれるとともに、請求の範囲に記載された発明とその均等の範囲に含まれる。
【００９６】
例えば、本実施形態では、昇降用モータ４としてサーボモータを用いる場合を例に説明したが、モータとしては、ステッピングモータ等公知の何れも適用が可能である。また、保持部２として吸着ノズルを例に採り説明したが、静電吸着方式、ベルヌーイチャック方式、又は電子部品Ｄを機械的に挟持するチャック機構を配してもよい。
【００９７】
更に、圧縮バネ２３、３６の両方を備えることも、何れか一方を備えることも、両方を備えないものであってもよく、その態様に応じてロッド３２が受ける反作用力Ｆｃｒと同等な対抗推力Ｆｏｐｐを発生させればよい。すなわち、降下力Ｆｒとは、圧縮バネ２３、３６のない保持部２のみを降下させる力、圧縮バネ２３に抗して保持部２のみを降下させる力、又は圧縮バネ２３、３６の弾性力の差分に抗して保持部２のみを降下させる力を含み、反作用力Ｆｃｒは、その降下力Ｆｒに対応する意である。
【００９８】
また、電子部品保持装置１の制御部５は、電子部品保持装置１が備えていてもよいし、電子部品搬送装置７が備える制御部７５に同様の処理を行わせるようにしてもよい。
【００９９】
更に、一つのターンテーブル７２に各種の工程処理ユニット７４を配置する場合を例に挙げたが、搬送機構としては、直線搬送方式であってもよく、また複数のターンテーブル７２で一の搬送経路７１を構成するようにしてもよい。各種の工程処理ユニット７４は、上記した種類に限られず、各種の工程処理ユニット７４と置き換えることが可能であり、配置順序も適宜変更可能である。
【符号の説明】
【０１００】
１  電子部品保持装置
２  保持部
２１  アーム
２２  軸受け
２３  圧縮バネ
２４  フランジ
２５  継手
３  押圧体
３１  リニアガイド
３２  ロッド
３３  フレーム
３３ａ  下腕
３３ｂ  上腕
３４  カムフォロア
３５  軸受け
３６  圧縮バネ
３７  ボイスコイルモータ
３７ａ  磁石
３７ｂ  環状コイル
３８  検出部
３８ａ  空気口
３８ｂ  蓋部
３８ｃ  パイプ
３８ｄ  流量計
３８ｅ  空気圧回路
４  昇降用モータ
４１  円筒カム
５  制御部
５１  モータ制御部
５２  ＶＣＭ制御部
５３  異常接触判定部
６  テーピングユニット
６１  キャリアテープ
６２  ポケット
７  電子部品搬送装置
７１  搬送経路
７２  ターンテーブル
７３  搬送用モータ
７４  工程処理ユニット
７４ａ  不良品排出装置
７５  制御部
７５ａ  報知部
７５ｂ  排出制御部
８１  搬送経路
８２  中継台
８２ａ  載置面
８２ｂ  障壁
８３  ガイド部材
８３ａ  穴
８４  ソケット
Ｄ  電子部品
【図１】
2013128560.tif 000003
【図２】
2013128560.tif 000004
【図３】
2013128560.tif 000005
【図４】
2013128560.tif 000006
【図５】
2013128560.tif 000007
【図６】
2013128560.tif 000008
【図７】
2013128560.tif 000009
【図８】
2013128560.tif 000010
【図９】
2013128560.tif 000011
【図１０】
2013128560.tif 000012
【図１１】
2013128560.tif 000013
【図１２】
2013128560.tif 000014
【図１３】
2013128560.tif 000015
【図１４】
2013128560.tif 000016
【図１５】
2013128560.tif 000017
【図１６】
2013128560.tif 000018
【図１７】
2013128560.tif 000019
【手続補正書】
【提出日】平成25年2月28日(2013.2.28)
【手続補正１】
【補正対象書類名】特許請求の範囲
【補正対象項目名】全文
【補正方法】変更
【補正の内容】
【特許請求の範囲】
【請求項１】
ボイスコイルモータに支持されたロッドと一緒に当該ロッドを介して電子部品の保持手段を降下させる昇降用モータを有する電子部品保持装置による前記電子部品の異常接触検出方法であって、
前記昇降用モータによって、前記ロッドを介して前記保持手段へ降下力を作用させ、
前記ボイスコイルモータによって、前記降下力に対する前記ロッドが受ける反作用と同等な対抗推力を前記ロッドに付与し、
前記保持手段の降下中に生じた異常な抵抗力に応答した、前記ロッドの前記ボイスコイルモータに対する相対的な浮き上がりを検出し、
前記ロッドの浮き上がりを検出したことを以て、前記降下途中で前記電子部品に対する異常接触を検出すること、
を特徴とする異常接触検出方法。
【請求項２】
前記電子部品を保持した前記保持手段をキャリアテープのポケットへ向けて降下させ、
前記電子部品が前記キャリアテープに接触しながら降下する際に生じる抵抗力に応答した、前記ロッドの前記ボイスコイルモータに対する相対的な浮き上がりを検出し、
前記ロッドの浮き上がりを検出したことを以て、前記降下途中での前記キャリアテープへの接触を検出すること、
を特徴とする請求項１記載の異常接触検出方法。
【請求項３】
前記ロッドの前記浮き上がりが生じると、前記降下を中止し、前記保持手段を上昇させること、
を特徴とする請求項１又は２に記載の異常接触検出方法。
【請求項４】
前記ロッドの前記浮き上がりが生じると、前記降下途中における前記電子部品の接触を報知すること、
を特徴とする請求項１乃至３の何れかに記載の異常接触検出方法。
【請求項５】
電子部品を受け渡しする電子部品保持装置であって、
前記電子部品を保持しつつ、外力によって受渡箇所へ向けて昇降可能な保持手段と、
前記保持手段の降下力を発生させる昇降用モータと、
前記保持手段に対して昇降可能に設けられ、前記保持手段と当接して、前記昇降用モータが発生させた前記降下力を前記保持手段へ伝達するロッドと、
前記保持手段に作用する降下力によって生じる前記ロッドへの反作用と同等な対抗推力を前記ロッドに付与するボイスコイルモータと、
前記保持手段の降下中に生じた異常な抵抗力に応答した、前記ロッドの前記ボイスコイルモータに対する相対的な浮き上がりを検出する検出手段と、
を備えること、
を特徴とする電子部品保持装置。
【請求項６】
前記保持手段は、
前記電子部品を保持しつつ、前記受渡箇所であるキャリアテープのポケットへ向けて降下させ、
前記検出手段は、
前記電子部品が前記キャリアテープに接触しながら降下する際に生じる抵抗力に応答した、前記ロッドの前記ボイスコイルモータに対する相対的な浮き上がりを検出すること、
を特徴とする請求項５記載の電子部品保持装置。
【請求項７】
前記保持手段は、
前記検出手段により、前記ロッドの前記浮き上がりが検出されると、前記降下を中止し、前記保持手段を上昇させること、
を特徴とする請求項５又は６に記載の電子部品保持装置。
【請求項８】
電子部品を搬送経路上に並べられた各種の工程処理ユニットに搬送するとともに、前記工程処理ユニットに前記電子部品を受け渡しする電子部品搬送装置であって、
前記電子部品を保持しつつ、外力によって昇降可能な保持手段と、
前記保持手段を前記搬送経路に沿って周回させるとともに、前記保持手段を前記工程処理ユニットの受渡箇所上方に停止させる搬送用モータと、
前記保持手段の降下力を発生させる昇降用モータと、
前記受渡箇所上方に停止した保持手段の上方に昇降可能に設けられ、前記保持手段と当接して、前記昇降用モータが発生させた前記降下力を前記保持手段へ伝達するロッドと、
前記保持手段に作用する前記降下力によって生じる前記ロッドへの反作用と同等な対抗推力を前記ロッドに付与するボイスコイルモータと、
前記保持手段の降下中に生じた異常な抵抗力に応答した、前記ロッドの前記ボイスコイルモータに対する相対的な浮き上がりを検出する検出手段と、
を備えること、
を特徴とする電子部品搬送装置。
【請求項９】
前記保持手段は、
前記電子部品を保持しつつ、前記受渡箇所であるキャリアテープのポケットへ向けて降下させ、
前記検出手段は、
前記電子部品が前記キャリアテープに接触しながら降下する際に生じる抵抗力に応答した、前記ロッドの前記ボイスコイルモータに対する相対的な浮き上がりを検出すること、
を特徴とする請求項８記載の電子部品搬送装置。
【請求項１０】
電子部品の不良品排出手段を更に備え、
前記保持手段は、
前記検出手段により、前記ロッドの前記浮き上がりが検出されると、前記降下を中止し、前記保持手段を上昇させ、前記不良品排出手段へ前記電子部品を移送すること、
を特徴とする請求項８又は９に記載の電子部品搬送装置。
【請求項１１】
前記ロッドの前記浮き上がりが生じると、前記キャリアテープへの降下途中における前記電子部品の接触を報知する報知手段を更に備えること、
を特徴とする請求項８乃至１０の何れかに記載の電子部品搬送装置。
【手続補正２】
【補正対象書類名】明細書
【補正対象項目名】００１２
【補正方法】変更
【補正の内容】
【００１２】
前記ロッドの前記浮き上がりが生じると、前記降下を中止し、前記保持手段を上昇させるようにしてもよい。
【手続補正３】
【補正対象書類名】明細書
【補正対象項目名】００１３
【補正方法】変更
【補正の内容】
【００１３】
前記ロッドの前記浮き上がりが生じると、前記降下途中における前記電子部品の接触を報知するようにしてもよい。
【手続補正４】
【補正対象書類名】明細書
【補正対象項目名】００１６
【補正方法】変更
【補正の内容】
【００１６】
前記保持手段は、前記検出手段により、前記ロッドの前記浮き上がりが検出されると、前記降下を中止し、前記保持手段を上昇させるようにしてもよい。
【手続補正５】
【補正対象書類名】明細書
【補正対象項目名】００１９
【補正方法】変更
【補正の内容】
【００１９】
電子部品の不良品排出手段を更に備え、前記保持手段は、前記検出手段により、前記ロッドの前記浮き上がりが検出されると、前記降下を中止し、前記保持手段を上昇させ、前記不良品排出手段へ前記電子部品を移送するようにしてもよい。
【手続補正書】
【提出日】平成25年4月19日(2013.4.19)
【手続補正１】
【補正対象書類名】特許請求の範囲
【補正対象項目名】全文
【補正方法】変更
【補正の内容】
【特許請求の範囲】
【請求項１】
ボイスコイルモータに支持されたロッドと一緒に当該ロッドを介して電子部品の保持手段を降下させる昇降用モータを有する電子部品保持装置による前記電子部品の異常接触検出方法であって、
前記昇降用モータによって、前記ロッドを介して前記保持手段へ降下力を作用させ、
前記ボイスコイルモータによって、前記降下力に対する前記ロッドが受ける反作用と同等な対抗推力を前記ロッドに付与し、
前記保持手段の降下中に生じた異常な抵抗力に応答した、前記ロッドの前記ボイスコイルモータに対する相対的な浮き上がりを検出し、
前記ロッドの浮き上がりを検出したことを以て、前記降下途中で前記電子部品に対する異常接触を検出すること、
を特徴とする異常接触検出方法。
【請求項２】
前記電子部品を保持した前記保持手段をキャリアテープのポケットへ向けて降下させ、
前記電子部品が前記キャリアテープに接触しながら降下する際に生じる抵抗力に応答した、前記ロッドの前記ボイスコイルモータに対する相対的な浮き上がりを検出し、
前記ロッドの浮き上がりを検出したことを以て、前記降下途中での前記キャリアテープへの接触を検出すること、
を特徴とする請求項１記載の異常接触検出方法。
【請求項３】
前記ロッドの前記浮き上がりが生じると、前記降下を中止し、前記保持手段を上昇させること、
を特徴とする請求項１又は２に記載の異常接触検出方法。
【請求項４】
前記ロッドの前記浮き上がりが生じると、前記降下途中における前記電子部品の接触を報知すること、
を特徴とする請求項１乃至３の何れかに記載の異常接触検出方法。
【請求項５】
電子部品を受け渡しする電子部品保持装置であって、
前記電子部品を保持しつつ、外力によって受渡箇所へ向けて昇降可能な保持手段と、
前記保持手段の降下力を発生させる昇降用モータと、
前記保持手段に対して昇降可能に設けられ、前記保持手段と当接して、前記昇降用モータが発生させた前記降下力を前記保持手段へ伝達するロッドと、
前記保持手段に作用する降下力によって生じる前記ロッドへの反作用と同等な対抗推力を前記ロッドに付与するボイスコイルモータと、
前記保持手段の降下中に生じた異常な抵抗力に応答した、前記ロッドの前記ボイスコイルモータに対する相対的な浮き上がりを検出する検出手段と、
を備えること、
を特徴とする電子部品保持装置。
【請求項６】
前記保持手段は、
前記電子部品を保持しつつ、前記受渡箇所であるキャリアテープのポケットへ向けて降下させ、
前記検出手段は、
前記電子部品が前記キャリアテープに接触しながら降下する際に生じる抵抗力に応答した、前記ロッドの前記ボイスコイルモータに対する相対的な浮き上がりを検出すること、
を特徴とする請求項５記載の電子部品保持装置。
【請求項７】
前記保持手段は、
前記検出手段により、前記ロッドの前記浮き上がりが検出されると、前記降下を中止し、前記保持手段を上昇させること、
を特徴とする請求項５又は６に記載の電子部品保持装置。
【請求項８】
電子部品を搬送経路上に並べられた各種の工程処理ユニットに搬送するとともに、前記工程処理ユニットに前記電子部品を受け渡しする電子部品搬送装置であって、
前記電子部品を保持しつつ、外力によって昇降可能な保持手段と、
前記保持手段を前記搬送経路に沿って周回させるとともに、前記保持手段を前記工程処理ユニットの受渡箇所上方に停止させる搬送用モータと、
前記保持手段の降下力を発生させる昇降用モータと、
前記受渡箇所上方に停止した保持手段の上方に昇降可能に設けられ、前記保持手段と当接して、前記昇降用モータが発生させた前記降下力を前記保持手段へ伝達するロッドと、
前記保持手段に作用する前記降下力によって生じる前記ロッドへの反作用と同等な対抗推力を前記ロッドに付与するボイスコイルモータと、
前記保持手段の降下中に生じた異常な抵抗力に応答した、前記ロッドの前記ボイスコイルモータに対する相対的な浮き上がりを検出する検出手段と、
を備えること、
を特徴とする電子部品搬送装置。
【請求項９】
前記保持手段は、
前記電子部品を保持しつつ、前記受渡箇所であるキャリアテープのポケットへ向けて降下させ、
前記検出手段は、
前記電子部品が前記キャリアテープに接触しながら降下する際に生じる抵抗力に応答した、前記ロッドの前記ボイスコイルモータに対する相対的な浮き上がりを検出すること、
を特徴とする請求項８記載の電子部品搬送装置。
【請求項１０】
電子部品の不良品排出手段を更に備え、
前記保持手段は、
前記検出手段により、前記ロッドの前記浮き上がりが検出されると、前記降下を中止し、前記保持手段を上昇させ、前記不良品排出手段へ前記電子部品を移送すること、
を特徴とする請求項８又は９に記載の電子部品搬送装置。
【請求項１１】
前記ロッドの前記浮き上がりが生じると、前記降下途中における前記電子部品の接触を報知する報知手段を更に備えること、
を特徴とする請求項８乃至１０の何れかに記載の電子部品搬送装置。
【手続補正２】
【補正対象書類名】明細書
【補正対象項目名】００２０
【補正方法】変更
【補正の内容】
【００２０】
前記ロッドの前記浮き上がりが生じると、前記降下途中における前記電子部品の接触を報知する報知手段を更に備えるようにしてもよい。
【国際調査報告】
2013128560.tif 000020
2013128560.tif 000021
2013128560.tif 000022
2013128560.tif 000023